(57)【要約】【課題】優れた長期安定度を有する高安定発振器を用いた基準信号発振器において、高安定発振器に短時間の障害が発生したときにおいても、継続して安定して基準信号を出力すること。【解決手段】高安定発振器としてルビジウム発振器やセシウム発振器を用い、これら発振器に比べて長期間の周波数安定度が劣るが、短期間の周波数安定度が高い準安定発振器であるＯＣＸＯをバックアップとして用いる。高安定発振器に異常が発生してからの経過時間と、両発振器の使用の重み付け（利用比率）とを対応させたテーブルを用意し、このテーブルを用いることで、高安定発振器が復帰した後、初めは準安定発振器の発振周波数を１００％利用するが、その後段階的に準安定発振器の使用の重み付け（利用比率）を小さくし、高安定発振器の利用比率を大きくする。【選択図】図１
2011217135.tif 000002
【特許請求の範囲】
【請求項１】
高安定発振器と、
この高安定発振器に比べて長期間の周波数安定度が劣るが、前記高安定発振器に比べて前記長期間よりも短い短期間の周波数安定度が優れている、前記高安定発振器に対して冗長構成となる準安定発振器と、
前記高安定発振器の異常を検出する異常検出部と、
前記高安定発振器の出力周波数及び前記準安定発振器の出力周波数を夫々ｆ１及びｆ２、高安定発振器の重み付けの比率をＡ（０≦Ａ≦１）とすると、Ａ・ｆ１＋（１−Ａ）・ｆ２の演算を行って演算結果を発振装置の出力周波数として出力する周波数演算部と、
前記異常検出部により高安定発振器の異常が検出された時点からの経過時間と前記Ａの値との対応関係を設定する重み付け設定部と、を備え、
Ａの値は、前記経過時間に伴って０から１まで段階的に増加することを特徴とする基準信号発振器。
【請求項２】
前記高安定発振器の出力信号の位相を前記準安定発振器の出力信号の位相と同期させるための第１の位相同期部と、
前記準安定発振器が待機中に当該準安定発振器の出力信号の位相を前記高安定発振器の出力信号の位相と同期させるための第２の位相同期部と、
前記高安定発振器の異常が検出されたときには、前記準安定発振器を自走させ、前記高安定発振器の異常が解消されたときには、前記高安定発振器の出力信号の位相を前記準安定発振器の出力信号の位相と一旦同期させ、その後に自走させるように制御信号を出力する制御部と、を備えたことを特徴とする請求項１記載の基準信号発振器。
【請求項３】
前記高安定発振器は、ルビジウム発振器またはセシウム発振器であり、前記準安定発振器は、恒温槽制御水晶発振器であることを特徴とする請求項１または２記載の基準信号発振器。
【請求項４】
前記準安定発振器は、第１の準安定発振器と第２の準安定発振器とを含み、
第１の準安定発振器に異常が発生したときには、前記周波数演算部に接続されている準安定発振器を第１の準安定発振器から第２の準安定発振器に切り替えるように構成されていることを特徴とする請求項１ないし３のいずれか一項に記載の基準信号発振器。
【発明の詳細な説明】
【技術分野】
【０００１】
本発明は、基準信号を出力する基準信号発振器に関する。
【背景技術】
【０００２】
無線通信システムの基地局においては、極めて周波数安定度の高い基準周波数信号が要求され、このためルビジウム発振器やセシウム発振器などの高額な発振器が用いられる。一方発振器の障害対策のためにこれらの発振器を二重化して冗長系構成としている。この種の発振器は長期の周波数安定度は優れているが、電源投入から周波数が安定するまでに長い時間がかかり、短期の周波数安定度は悪いことから、バックアップの発振器は電源を入れて発振させた状態で待機している。
【０００３】
しかしながらルビジウム発振器やセシウム発振器をバックアップとして使用すると、システムの価格が非常に高額になるという課題がある。
【０００４】
特許文献１には、周波数シンセサイザにおいてＴＣＸＯとＯＣＸＯとの両方を備え、これらを切り替えて基準信号として用いる技術が記載され、また特許文献２には、電圧制御型ディジタル温度補償水晶発振器とＯＣＸＯとを備え、これらを切り替えて基準信号として用いる技術が記載されているが、本発明を示唆する記載はない。
【先行技術文献】
【特許文献】
【０００５】
【特許文献１】特開平８−５６１２０号公報
【特許文献２】特開２００４−１７２６８６号公報
【発明の概要】
【発明が解決しようとする課題】
【０００６】
本発明はこのような事情の下になされたものであり、優れた長期安定度を有する高安定発振器を用いた基準信号発振器において、高安定発振器に短時間の障害が発生したときにおいても、継続して安定して基準信号を出力することができ、しかも価格を抑えることのできる技術を提供することを目的とする。
【課題を解決するための手段】
【０００７】
本発明は、  高安定発振器と、
この高安定発振器に比べて長期間の周波数安定度が劣るが、前記高安定発振器に比べて前記長期間よりも短い短期間の周波数安定度が優れている、前記高安定発振器に対して冗長構成となる準安定発振器と、
この準安定発振器が待機中に当該準安定発振器の出力信号の位相を前記高安定発振器の出力信号の位相と同期させるための位相同期部と、
前記高安定発振器の異常を検出する異常検出部と、
前記高安定発振器の出力周波数及び前記準安定発振器の出力周波数を夫々ｆ１及びｆ２、高安定発振器の重み付けの比率をＡ（０≦Ａ≦１）とすると、Ａ・ｆ１＋（１−Ａ）・ｆ２の演算を行って演算結果を発振装置の出力周波数として出力する周波数演算部と、
前記異常検出部により高安定発振器の異常が検出された時点からの経過時間と前記Ａの値との対応関係を設定する重み付け設定部と、を備え、
Ａの値は、前記経過時間に伴って０から１まで段階的に増加することを特徴とする発振器である。
【０００８】
本発明の具体的態様として例を挙げる。  
前記高安定発振器の出力信号の位相を前記準安定発振器の出力信号の位相と同期させるための第１の位相同期部と、前記準安定発振器が待機中に当該準安定発振器の出力信号の位相を前記高安定発振器の出力信号の位相と同期させるための第２の位相同期部と、前記高安定発振器の異常が検出されたときには、前記準安定発振器を自走させ、前記高安定発振器の異常が解消されたときには、前記高安定発振器の出力信号の位相を前記準安定発振器の出力信号の位相と一旦同期させ、その後に自走させるように制御信号を出力する制御部と、を備えた構成とする。  
前記高安定発振器は、ルビジウム発振器またはセシウム発振器であり、前記準安定発振器は、恒温槽制御水晶発振器である。  
前記準安定発振器は、第１の準安定発振器と第２の準安定発振器とを含み、
第１の準安定発振器に異常が発生したときには、前記周波数演算部に接続されている準安定発振器を第１の準安定発振器から第２の準安定発振器に切り替えるように構成されている。
【発明の効果】
【０００９】
本発明は、優れた長期安定度を有する高安定発振器を用いた基準信号発振器において、高安定発振器に比べて長期間の周波数安定度が劣るが、短期間の周波数安定度が高い準安定発振器をバックアップとして用いている。そして高安定発振器が復帰したときにすぐに高安定発振器に切り替えるのではなく、高安定発振器の異常発生時からの時間の経過と共に段階的に準安定発振器の使用の重み付け（利用比率）を小さくするようにしている。高安定発振器は電源投入直後は周波数安定度が悪く、一方準安定発振器は、短期間は周波数安定度が優れていることから、このように重み付けをすることにより、優れた周波数安定度が期待できる。
【図面の簡単な説明】
【００１０】
【図１】本発明の基準信号発振器の実施の形態の構成を示すブロック図である。
【図２】前記基準信号発振器に用いられる周波数混合部の詳細を示す構成図である。
【図３】前記基準信号発振器に用いられる高安定発振器及び準安定発振器における周波数安定度を示す特性図である。
【図４】前記基準信号発振器に用いられる高安定発振器及び準安定発振器の各周波数を重み付けをして混合した場合の周波数の安定度の一例を示す特性図である。
【図５】前記基準信号発振器に用いられる高安定発振器及び準安定発振器の各周波数を重み付けをして混合した場合の周波数の安定度の他の例を示す特性図である。
【図６】本発明の基準信号発振器の実施の形態の動作フローを示すフローチャートである。
【図７】本発明の基準信号発振器の他の実施の形態の構成を示すブロック図である。
【発明を実施するための形態】
【００１１】
図１に示す基準信号発振器は、高安定発振器１と準安定発振器２とを備えている。高安定発振器１は、例えばルビジウム発振器またはセシウム発振器などが用いられ、準安定発振器２は、例えば恒温槽制御水晶発振器（以下「ＯＣＸＯ」という）が用いられる。既述のようにＯＣＸＯは、前記高安定発振器１に比べて長期間の周波数安定度が劣るが、前記長期間よりも短い短期間の周波数安定度が優れた特性を有する。一方発振器は電源投入直後の周波数安定度が悪く、このため高安定発振器１においても例えば電源投入後の数分間程度においては、周波数安定度はＯＣＸＯの周波数安定度よりも劣る。なお、高安定発振器１における電源投入直後の周波数安定度は同じ機種であっても製品により多少のばらつきはある。
【００１２】
高安定発振器１は、例えば基地局の電源系統から電力が供給されるが、準安定発振器２は、基地局の電源系統とは別の予備電源、例えば予備のバッテリーから電力が供給される。
【００１３】
１２は高安定発振器１から出力される周波数信号のレベルを検出するレベル検出部、１３は当該周波数信号の周波数を検出する周波数検出部であり、これら検出部１２、１３からの検出値は夫々Ａ／Ｄ(アナログ／ディジタル)変換器１２ａ及び１３ａを介して例えばコンピュータからなる制御部３に取り込まれる。制御部３のプログラム格納部３１に格納されているプログラム３２は、後述の図６のフローを実行するようにステップが組まれている。そしてこのプログラム３２の一部のステップは、レベル検出部１２にて検出されたレベル検出値が設定範囲にあるか否かを判断すると共に、周波数検出部１３にて検出された周波数検出値が設定範囲にあるか否かを判断する。そして少なくともいずれか一方の検出値が設定範囲から外れていると判断したときには、高安定発振器１に異常が発生したと判断する。この例では、レベル検出部１２、周波数検出部１３及びプログラム３１における検出値の判断ステップの部分は、高安定発振器１の異常を検出する異常検出部に相当する。
【００１４】
各発振器１、２の後段には、これら発振器１、２の出力信号を重み付けして加算（混合）するための周波数演算部４が設けられている。この周波数演算部４は、高安定発振器１の出力周波数及び準安定発振器２の出力周波数を夫々ｆ１及びｆ２、高安定発振器１の重み付けの比率をＡ（０≦Ａ≦１）とすると、Ａ・ｆ１＋（１−Ａ）・ｆ２の演算を行って演算結果を基準信号発振器の出力周波数として出力する機能を有する。なお「重み付けの比率」を以下では「重み付け係数」と呼ぶことにする。
【００１５】
図２は周波数演算部４の一例を示す構成図である。高安定発振器１からの周波数信号の周波数は周波数カウンタ４０によりカウントされ、そのカウント値ｆ１に対して掛け算部４１、４２にて位相係数２π、ウエイト係数Ａが順次掛け算される。そして２π・ｆ１・Ａの値がテーブル変換部４３、４４により夫々ｓｉｎ（２π・ｆ１・Ａ）及びｃｏｓ（２π・ｆ１・Ａ）に変換されてディジタル値として出力される。  
一方、準安定発振器２からの周波数信号の周波数掛け算部は周波数カウンタ５０によりカウントされ、そのカウント値ｆ２に対して５１、５２にて位相係数２π、ウエイト係数Ｂ＝（１−Ａ）が順次掛け算される。そして２π・ｆ２・Ｂの値がテーブル変換部５３、５４により夫々ｃｏｓ（２π・ｆ２・Ｂ）及びｓｉｎ（２π・ｆ２・Ｂ）に変換されてディジタル値として出力される。そしてｓｉｎ（２π・ｆ１・Ａ）とｃｏｓ（２π・ｆ２・Ｂ）とが掛け算部６１にて掛け算されると共にｃｏｓ（２π・ｆ１・Ａ）とｓｉｎ（２π・ｆ２・Ｂ）とが掛け算部６２にて掛け算される。次いでこれら掛け算値が加算部６３にて加算され、結果としてｓｉｎ（２π・ｆ１・Ａ＋２π・ｆ２・Ｂ）とが得られる。このディジタル値をＤ／Ａ変換部６４にてＤ／Ａ変換する。こうして高安定発振器１の出力周波数をＡで重み付けし、準安定発振器２の出力周波数をＢで重み付けした周波数の周波数信号が基準信号として基準信号発振器から出力されることになる。
【００１６】
重み付け係数Ａ、Ｂ＝（１−Ａ）は、例えば図４の上段に記載したように高安定発振器１の異常が検出された後の経過時間と対応付けて設定され、この重み付けテーブル４００は制御部３のメモリ３３に記憶されている。図４から分かるように、この重み付けテーブル４００は、高安定発振器１の異常検出時からしばらくの間は重み付け係数Ａを０％（重み付け係数Ｂを１００％）に設定している。これは高安定発振器１が異常であることから、最初は準安定発振器２に１００％頼る必要があることに基づく。そしてある時間が経過すると、図４の例では１００秒が経過した後は、経過時間と共に段階的に高安定発振器１の重み付けを高く（準安定発振器２の重み付けを低く）し、やがて高安定発振器１の重み付けを１００％として当該高安定発振器１だけの信号を基準周波数信号として使用するようにしている。なお、高安定発振器１の障害は短期を想定していることから、図５の例では１００秒以内で異常状態が解消されることを想定している。
【００１７】
ここで重み付けテーブル４００と、高安定発振器１及び準安定発振器２の各周波数安定性と、周波数演算部４の出力との関係について記載する。図３は縦軸に周波数安定度をとり、横軸に平均時間をとっている。このグラフの縦軸の意味について説明する。ある時間（例えば１０秒）を設定し、この設定時間内において所定の間隔で周波数をサンプリングして得られた周波数の平均値をｆ、設定周波数をｆ０、ｆとｆ０との差分をΔｆとし、Δｆ／ｆ０を求める。そして前記設定時間の計測開始時間を順次ずらしてΔｆ／ｆ０の移動平均を求めた値が縦軸の値である。また横軸は設定時間の値であり、平均時間として表示してある。図３のグラフは、発振器や原子時計の安定度を示すパラメータであるアラン分散（Allan  Variance）と同等であるということができ、縦軸はσ（偏差の二乗の平均値の平方根）と同等である。
【００１８】
図３の鎖線（１）は高安定発振器１の周波数安定度を示し、同図の点線（２）は準安定発振器２の周波数安定度を示している。図３の特性図は一例を示したに過ぎず、実際には同じ種類の製品であっても、個々の特性が多少は異なる。
【００１９】
この図３の特性に対して、図４の上段のテーブル４００に記載した重み付けを行うと、図４の下段の実線（３）に示す特性となる。この場合は、高安定発振器１が復帰するまでの時間として１００秒未満の時間を見込んでいる。つまり高安定発振器１に障害が発生してから復帰するまで（異常が解消されるまで）の時間は高々９９秒であろうと見込んでいる。経過時間が１００秒を過ぎるまでは、準安定発振器２の重み付けが１００％なので、周波数安定度は準安定発振器２に支配される。つまり、経過時間が１００秒を過ぎるまでは、高安定発振器１は利用
されていないので、１００秒未満の周波数安定度というものが存在しないので、基準信号発振器の周波数安定度としては、準安定発振器２の周波数安定度として示されることになる。その後はテーブル４００に記載された重み付け処理が実行されるので、周波数安定度は、徐々に高安定発振器１の支配度が大きくなり、やがて高安定発振器１の重み付けが１００％になって、高安定発振器１に支配されることになる。図４の横軸は平均時間をとっているが、周波数安定度を評価するにあたっては、平均時間を高安定発振器１の異常検出時からの経過時間と見立てて、周波数安定度が変わっていく様子として捉えることができる。
【００２０】
各発振器１、２の周波数安定度の経過特性は概ねは把握されているが、正確には個々で異なり、また高安定発振器１が異常となってから復帰するまでの時間は、１００秒未満で想定してはいるが、毎回の異常時に対して一律ではない。このため予め各発振器１、２の周波数安定度の概ねの経過特性に基づいて、高安定発振器１が０．１秒後に復帰した場合のみならず、１００秒に近い時点で復帰した場合（電源が投入されてまだ間もない時点）においても極端に周波数安定度が悪くなる事態を避けるように重み付け係数Ａ及びＢを決め、準安定発振器２から高安定発振器１への支配を徐々に移すようにしている。
【００２１】
なお、図３の特性に対して、図５の上段のテーブル４００に記載した重み付けを行うと、図５の下段の実線（３）に示す特性となる。この場合には、高安定発振器１が復帰する時点を、異常検出時から１２００秒（２０分）未満であると見込んだシステムの例である。図４及び図５の重み付けテーブルは、一例であり、実際には使用する高安定発振器１及び準安定発振器２の周波数安定度を把握した上で適切なテーブルとして作成されることになる。
【００２２】
図１に戻って、重み付けテーブル４００は、既述のようにメモリ３３に記憶されているが、入力部３４によりこのテーブル４００を表示部３５に表示させ、入力部３４により重み付けテーブル４００における異常後経過時間、重み付け係数Ａ、重み付け係数Ｂの値を自由に設定できるようになっている。従って重み付けテーブル４００は、例えば図４の上段に示すテーブルや図５の上段に示すテーブルなどに設定することができる。重み付けテーブル４００にて設定された重み付け係数Ａ及びＢは制御部３のプログラム３２により読み出され、読み出された係数が夫々Ｄ／Ａ変換器１４、２４を介して周波数演算部４に送られる。この例では、重み付けテーブル４００及びプログラム３２の一部は、重み付け設定部を構成している。なお制御部３において、３６はＣＰＵ、３７はバスである。
【００２３】
高安定発振器１に関連して位相同期回路１５が設けられている。この位相同期回路１５は、高安定発振器１の異常が解消したときに、高安定発振器１の出力を準安定発振器２の周波数信号に同期させるためのものである。高安定発振器１の異常が解消されたときとは、瞬時停電が復帰した場合の他、高安定発振器１に不具合（出力レベルや周波数の異常）が生じて一時的に電源を切り、その後復帰した場合なども含まれる。高安定発振器１は位相同期回路１５により一旦準安定発振器２に同期させられるが、例えば数分後には同期を解消して自走運転される。高安定発振器１の出力を準安定発振器２に同期させその後自走する動作の一連のタイミングは、例えば高安定発振器１の重み付けが０％のうちに行われる。
【００２４】
また準安定発振器２に関連して位相同期回路２５が設けられている。この位相同期回路２５は、準安定発振器２が待機中に高安定発振器１の周波数信号と同期させられるためのものであり、高安定発振器１の異常が検出されたときには同期が解消され、準安定発振器２は自走することになる。位相同期回路１５、２５におけるこうした一連の動作は、プログラム３２に基づき制御部３にて生成された制御信号により実施される。
【００２５】
２２は準安定発振器２の周波数信号のレベルを検出するレベル検出部、２３は準安定発振器２の周波数信号の周波数を検出する周波数検出部、２６は準安定発振器２であるＯＣＸＯの恒温槽の温度を検出する温度検出部である。これら検出部の検出値は夫々Ａ／Ｄ変換部２２ａ、２３ａ、２６ａを介して制御部３に取り込まれ、制御部３はこれら各検出値に対して予め設定した設定範囲内に収まっているか否かを判断し、いずれか一つでも設定範囲から外れていれば、準安定発振器２が異常であると判断してアラームを出力する。この判断は例えば制御部３内のプログラムにより行ってもよいし、あるいはハードウエアにより行ってもよい。この実施形態では、高安定発振器１が正常時において、準安定発振器２に異常が生じた場合には当該準安定発振器２を交換あるいは修理する。
【００２６】
次に上述実施の形態の作用について述べる。図６は、基準信号発振器の動作フローを示し、制御部３のプログラム３２は、準安定発振器２が待機中にあるときには、位相同期回路２５に制御信号を出力し、準安定発振器２を高安定発振器１の周波数信号に同期させるようにしている（ステップＳ１）。そして高安定発振器１が異常か否かを監視している（ステップＳ２）。この監視は、レベル検出部１２及び周波数検出部１３の各検出値に基づいて行われる。そしてこれら検出値の少なくとも一方が設定範囲から外れると異常であると判断し、重み付けの制御を開始する（ステップＳ３）。この重み付け制御とは、高安定発振器１が異常であると判断された時点からタイマーをセットし、メモリ３３内の重み付けテーブル４００を参照して、このタイマーの経過時間に対応する重み付け係数Ａ、Ｂを読み出し、周波数演算部４に出力する制御である。また準安定発振器２を高安定発振器１の同期から切り離して、準安定発振器２を自走させる（ステップＳ４）。
【００２７】
重み付けの制御を開始することにより、高安定発振器１の出力周波数と準安定発振器２の出力周波数とが、経過時間に応じた重み付けにより混合されて基準周波数信号として出力される。先ず初期は準安定発振器２の重み付け係数Ｂが１００％であり、当該準安定発振器２の優れた短期安定度が活用される。一方、プログラム３２は高安定発振器１の障害が復帰したか否か（異常が解消したか否か）を判断し（ステップＳ５）、復帰していれば高安定発振器１の出力を一旦準安定発振器２の周波数信号に同期させ、その後高安定発振器１を自走させる。
【００２８】
ここで高安定発振器１に異常が起こったとき、例えば停電であれば停電が解消されたときに自動的に電源が投入されるが、例えば高安定発振器１に不具合が生じているときには、例えば図示しないスイッチ部により電源が遮断され、不具合が解消されたときにスイッチ部により電源が投入される。従っていずれの場合にも高安定発振器１に異常が起こったときには、電源が遮断され、異常が解消されたときには電源が投入されることになる。
【００２９】
準安定発振器２の重み付け係数Ｂは段階的に小さくなり（高安定発振器１の重み付け係数Ａが段階的に大きくなり）、準安定発振器２の短期安定度の寄与度を小さくして、高安定発振器１の長期安定度の寄与の程度を大きくしていく。このようにすることで、高安定発振器１の復帰時点が想定された範囲内においてまちまちであっても、両発振器１の長所が生かされて周波数安定度の高い基準周波数信号が生成される。そしてプログラム３２は、タイマーによる経過時間に応じてテーブル４００を参照し、準安定発振器２の重み付け係数Ｂが０％になったか否かを判断し（ステップＳ７）、０％になったときには、ステップＳ１に戻って準安定発振器２の出力が高安定発振器１の周波数信号に同期することとなる。
【００３０】
一方高安定発振器１の障害が復帰しないときは、ステップＳ８にて、準安定発振器２の重み付けが１００％よりも低くなったか否かの判断がされ、１００％よりも低くなったときには、つまり障害が復帰しない高安定発振器１が活用されようとしたときには、アラームが発生する（ステップＳ９）。つまり、この実施の形態は、高安定発振器１が例えば１００秒以内に復帰することを想定しているが、準安定発振器２の重み付け係数Ｂが１００％よりも低くなっても未だ高安定発振器１が復帰しない場合には、システムの異常事態と判断してアラーム３８が動作し、高安定発振器１の交換または修理を行う必要がある。
【００３１】
上述の実施の形態によれば、優れた長期安定度を有する高安定発振器と、この高安定発振器に比べて長期間の周波数安定度が劣るが、短期間の周波数安定度が高いＯＣＸＯである準安定発振器２をバックアップとして用いている。そして高安定発振器１が復帰したときにすぐに高安定発振器１に切り替えるのではなく、高安定発振器１の異常発生時からの時間の経過と共に段階的に準安定発振器２の使用の重み付け（利用比率）を小さくするようにしている。
【００３２】
従って準安定発振器２に切り替えた初期は、周波数の短期安定度の優秀性を活用し、徐々にこの活用度を小さくしつつ高安定発振器１における周波数の長期安定度の優秀性の活用度を大きくしている。従って高安定発振器１の復帰時点（解消時点）が想定している範囲内においてはどのタイミングであっても周波数が極端に不安定になることを回避し、結果として周波数が安定したシステムを構築できる。
【００３３】
この手法は高安定発振器１の異常が短期で解消することを前提としているが、解消時点はまちまちであり、しかも高安定発振器１と準安定発振器２とについての周波数安定特性も多少のばらつきがあることから、準安定発振器の重み付けを段階的に小さくすること（高安定発振器の重み付けを段階的に大きくすること）により、復帰時点（解消時点）がどのタイミングであっても周波数が極端に不安定になることを回避し、結果として周波数が安定したシステムを構築できる。
【００３４】
図７は本発明の他の実施の形態を示す図である。この実施の形態が図１の実施の形態と異なる構成は、次のとおりである。
ａ．  準安定発振器をもう１台追加して冗長化させ、位相同期回路２５から出力される準安定発振器の制御電圧の供給路をスイッチ部２０を介して分岐し、各分岐路に夫々第１の準安定発振器２及び第２の準安定発振器２´を接続したこと。
ｂ.   第１の準安定発振器２及び第２の準安定発振器２´の各出力端を選択するための、前記スイッチ部２０と同期するスイッチ部２１を設け、このスイッチ部２０の切り替えにより、第１の準安定発振器２及び第２の準安定発振器２の出力信号を有効にしたこと。
ｃ．  第２の準安定発振器２´に関しても、第１の準安定発振器２と同様に例えば予備電源から電力が供給されること。
ｄ．  第２の準安定発振器２´に関しても恒温槽の温度を検出する温度検出部２６´を設け、温度検出値をＡ／Ｄ変換器２６´ａを介して制御部３に入力する。
ｅ．  スイッチ部２０を第１の準安定発振器２側に切り替えておき、先の実施の形態と同様の運転を行うが、第１の準安定発振器２に異常が起こったとき、即ち周波数信号のレベル及び周波数並びに温度検出値の少なくとも一つが設定範囲から外れたときに制御部３からの指示によりスイッチ部２０及び２１を第２の準安定発振器２´側に切り替える。
ｆ.  第１の準安定発振器２から第２の準安定発振器２´に切り替わった後も、第１の準安定発振器２にて設定されていた重み付けテーブルをそのまま引き継いで重み付けの制御が行われる。  
このような実施の形態によれば、第１の準安定発振器２に異常が生じても、第２の準安定発振器２´を使用できるので、より一層信頼性の高いシステムを構築できる。この場合、図示しない位相同期回路を更に設け、第１の準安定発振器２が選択されているときに（スイッチ部２０、２１が切り替わっているときに）当該位相同期回路により第２の準安定発振器２´の出力を第１の準安定発振器２の周波数信号に同期させておくようにすれば、高安定発振器１に異常が生じて重み付け制御が開始されている状態で第１の準安定発振器２に異常が生じた場合に、第２の準安定発振器２´に切り替えて使用できるので、より一層信頼性の高いシステムを構築できる。
【符号の説明】
【００３５】
１            高安定発振器
１１          スイッチ部(第１の電源投入部)
１２          レベル検出部
１３          周波数検出部
２            準安定発振器
２１          スイッチ部(第２の電源投入部)
３            制御部
３１          プログラム
４            周波数演算部
４００        重み付けテーブル
【図１】
2011217135.tif 000003
【図２】
2011217135.tif 000004
【図３】
2011217135.tif 000005
【図４】
2011217135.tif 000006
【図５】
2011217135.tif 000007
【図６】
2011217135.tif 000008
【図７】
2011217135.tif 000009
【手続補正書】
【提出日】平成22年4月20日(2010.4.20)
【手続補正１】
【補正対象書類名】図面
【補正対象項目名】全図
【補正方法】変更
【補正の内容】
【図１】
2011217135.tif 000010
【図２】
2011217135.tif 000011
【図３】
2011217135.tif 000012
【図４】
2011217135.tif 000013
【図５】
2011217135.tif 000014
【図６】
2011217135.tif 000015
【図７】
2011217135.tif 000016